(57)【要約】【課題】断熱材を有する耐火壁構造において、施工性を向上させる。 【解決手段】耐火壁構造２０は、鉄骨柱２２及び鉄骨柱２４と、ラチス材２６と、断熱材２８と、永久磁石３２とを有する。鉄骨柱２２及び鉄骨柱２４は、建物１０の外壁パネル１６に対する屋内側で建物１０の内外方向と交差する交差方向に並んで立設されている。ラチス材２６は、内外方向に貫通した貫通部３１を鉄骨柱２２及び鉄骨柱２４とで形成すると共に、鉄骨柱２２と鉄骨柱２４とを連結する。断熱材２８は、外壁パネル１６とラチス材２６との間に配置され交差方向に延在される断熱部４２と、断熱部４２から外側へ延出され鉄骨柱２２及び鉄骨柱２４に取付けられる取付部４４とを備え、貫通部３１を通過可能に形成されている。永久磁石３２は、鉄骨柱２２及び鉄骨柱２４に取付部４４を取付ける。【選択図】図１
2019019629.tif 000002
【特許請求の範囲】
【請求項１】
建物の外壁材に対する屋内側で該建物の内外方向と交差する交差方向に並んで立設された一対の鉄骨柱と、
前記内外方向に貫通した貫通部を前記鉄骨柱とで形成すると共に、前記一対の鉄骨柱を連結するラチス材と、
前記外壁材と前記ラチス材との間に配置され前記交差方向に延在される断熱部と、該断熱部から外側へ延出され前記一対の鉄骨柱に取付けられる取付部とを備え、前記貫通部を通過可能に形成された断熱材と、
前記一対の鉄骨柱に前記取付部を取付ける取付手段と、
を有する耐火壁構造。
【請求項２】
前記外壁材、前記鉄骨柱及び前記断熱材に接触し、前記外壁材と前記鉄骨柱との間で断熱する補助断熱材が設けられた請求項１に記載の耐火壁構造。
【請求項３】
前記取付手段は、前記一対の鉄骨柱とで前記取付部を挟むことで前記取付部を取付ける永久磁石を有する請求項１又は請求項２に記載の耐火壁構造。
【請求項４】
請求項１から請求項３のいずれか１項に記載の耐火壁構造の施工方法であって、
前記断熱材を、前記ラチス材に対する屋内側から前記貫通部を通過させて前記外壁材と前記ラチス材との間に配置する第１工程と、
前記外壁材と前記ラチス材との間に配置された前記断熱材の前記取付部を、前記取付手段を用いて前記一対の鉄骨柱に取付ける第２工程と、
を有する耐火壁構造の施工方法。
【発明の詳細な説明】
【技術分野】
【０００１】
本発明は、耐火壁構造及び耐火壁構造の施工方法に関する。
【背景技術】
【０００２】
特許文献１の耐火被覆構造では、外壁に近接している鉄骨柱にコ字状に折曲げられた耐火ボードが巻付けられ、鉄骨柱の三面が覆われている。
【先行技術文献】
【特許文献】
【０００３】
【特許文献１】特開２０１５−６３８７７号公報
【発明の概要】
【発明が解決しようとする課題】
【０００４】
一対の柱を連結するラチス材と外壁材との間に、吹付けを行わずに断熱材を設けた耐火壁構造がある。この耐火壁構造を施工する場合には、ラチス材で連結された一対の柱を立設した後で、断熱材をラチス材の屋外側に配置してから、外壁材を設ける施工方法が用いられている。しかし、この施工方法では、外壁材が設けられる前に断熱材を配置するので、外壁材の配置を考慮しながら断熱材を配置しなくてはならず、断熱材を配置する作業が煩雑になる。つまり、断熱材を有する耐火壁構造において、施工性を向上させるには、改善の余地がある。
【０００５】
本発明は、断熱材を有する耐火壁構造において、施工性を向上させることが目的である。
【課題を解決するための手段】
【０００６】
第１態様に係る耐火壁構造は、建物の外壁材に対する屋内側で該建物の内外方向と交差する交差方向に並んで立設された一対の鉄骨柱と、前記内外方向に貫通した貫通部を前記鉄骨柱とで形成すると共に、前記一対の鉄骨柱を連結するラチス材と、前記外壁材と前記ラチス材との間に配置され前記交差方向に延在される断熱部と、該断熱部から外側へ延出され前記一対の鉄骨柱に取付けられる取付部とを備え、前記貫通部を通過可能に形成された断熱材と、前記一対の鉄骨柱に前記取付部を取付ける取付手段と、を有する。
【０００７】
第１態様に係る耐火壁構造では、外壁材に対する屋内側で立設された一対の鉄骨柱が、ラチス材で連結されている。そして、ラチス材と鉄骨柱とで貫通部が形成されている。なお、ラチス材とは、柱や梁などの間にジグザグ状に渡された補強材のことを意味する。この状態において、断熱材が、ラチス材に対する屋内側から貫通部を通過して外壁材とラチス材との間に配置される。さらに、断熱材の取付部が、取付手段によって一対の鉄骨柱に取付けられる。このように、外壁材、一対の鉄骨柱及びラチス材が設けられた後で、ラチス材に対する屋内側から、ラチス材と外壁材との間に断熱材を取付ける作業を行える。このため、外壁材が配置される前に、外壁材の配置を考慮しながら断熱材の配置を行う必要がなくなる。つまり、断熱材の配置作業を屋内側から簡単に行うことができるので、断熱材を有する耐火壁構造において、施工性を向上させることができる。
【０００８】
第２態様に係る耐火壁構造には、前記外壁材、前記鉄骨柱及び前記断熱材に接触し、前記外壁材と前記鉄骨柱との間で断熱する補助断熱材が設けられている。
【０００９】
第２態様に係る耐火壁構造では、外壁材と鉄骨柱との間に補助断熱材が配置される。さらに、補助断熱材は、外壁材とラチス柱との間に配置された断熱材と接触する。これにより、外壁材と一対の鉄骨柱との間の空間に、断熱材及び補助断熱材が連続して配置されることになるので、補助断熱材を配置しない構成に比べて、耐火壁構造の断熱性能を高めることができる。
【００１０】
第３態様に係る耐火壁構造の前記取付手段は、前記一対の鉄骨柱とで前記取付部を挟むことで前記取付部を取付ける永久磁石を有する。
【００１１】
第３態様に係る耐火壁構造では、取付部が、永久磁石と鉄骨柱とで挟まれることで、永久磁石と鉄骨柱との引合う力によって、鉄骨柱に取付けられる。言い換えると、鉄骨柱に取付部を接触させた状態で永久磁石を取付部に近づけるだけで、永久磁石と鉄骨柱とが引合って取付部が取付けられるので、一対の鉄骨柱に断熱材を取付ける作業を簡単に行うことができる。なお、永久磁石とは、外部から磁場や電流の供給を受けずに、磁石としての性質を保持し続ける物体を意味する。
【００１２】
第４態様に係る耐火壁構造の施工方法は、第１態様から第３態様のいずれか１つに記載の耐火壁構造の施工方法であって、前記断熱材を、前記ラチス材に対する屋内側から前記貫通部を通過させて前記外壁材と前記ラチス材との間に配置する第１工程と、前記外壁材と前記ラチス材との間に配置された前記断熱材の前記取付部を、前記取付手段を用いて前記一対の鉄骨柱に取付ける第２工程と、を有する。
【００１３】
第４態様に係る耐火壁構造の施工方法では、外壁材に対する屋内側で立設された一対の鉄骨柱が、ラチス材で連結されている。この状態において、断熱材が、ラチス材に対する屋内側から貫通部を通過されて外壁材とラチス材との間に配置される（第１工程）。さらに、断熱材の取付部が、取付手段によって一対の鉄骨柱に取付けられる（第２工程）。このように、外壁材、一対の鉄骨柱及びラチス材が設けられた後で、ラチス材に対する屋内側から、ラチス材と外壁材との間に断熱材を取付ける作業を行える。このため、外壁材が配置される前に、外壁材の配置を考慮しながら断熱材の配置を行う必要がなくなる。つまり、断熱材の配置作業を屋内側から簡単に行うことができるので、断熱材を有する耐火壁構造において、施工性を向上させることができる。
【発明の効果】
【００１４】
以上説明したように、本発明に係る耐火壁構造及び耐火壁構造の施工方法では、断熱材を有する耐火壁構造において、施工性を向上させることができる。
【図面の簡単な説明】
【００１５】
【図１】本実施形態に係る耐火壁構造の構成図である。
【図２】本実施形態に係る耐火壁構造の正面図である。
【図３】本実施形態に係る断熱材の横断面図である。
【図４】本実施形態に係る鉄骨柱に断熱材を取付けた状態を示す説明図である。
【図５】（Ａ）本実施形態に係る断熱材を取付ける前の鉄骨柱の周辺部を示す説明図であり、（Ｂ）本実施形態に係るラチス材の貫通部に断熱材を挿入する状態を示す説明図であり、（Ｃ）本実施形態に係る断熱材が鉄骨柱に取付けられた状態を示す説明図である。
【発明を実施するための形態】
【００１６】
本実施形態に係る耐火壁構造及び耐火壁構造の施工方法の一例について説明する。
【００１７】
〔全体構成〕
図１には、建物１０に適用された耐火壁構造２０が示されている。耐火壁構造２０の詳細については後述する。なお、以後の説明では、建物１０の桁方向をＸ方向、妻方向をＹ方向、上下方向（高さ方向）をＺ方向と称する。Ｘ方向、Ｙ方向及びＺ方向は、互いに直交する。建物１０は、一例として、基礎上に柱部１２と図示しない梁部とを組み上げた鉄骨軸組構造の躯体と、Ｚ方向に立設された外壁部１４とを含んで構成されている。
【００１８】
図２に示す柱部１２は、後述する鉄骨柱２２及び鉄骨柱２４を含んで構成されている。柱部１２のＺ方向の下端部は、基礎梁１３に連結されている。柱部１２のＺ方向の上端部は、連結部材３７を介して天井梁１５に連結されている。なお、本実施形態では、Ｙ方向が建物１０の内外方向の一例として設定されており、Ｘ方向がＹ方向と交差（直交）する交差方向の一例として設定されている。
【００１９】
図１に示す外壁部１４は、外壁材の一例としての複数の外壁パネル１６で構成されている。それぞれの外壁パネル１６は、Ｘ方向に所定の幅でＺ方向の長さが建物１０の階高に応じた長さとされており、図示しない外壁フレームに取付けられている。それぞれの外壁パネル１６の目地１８には、一例として、バッカー材１９Ａ及び耐火目地材１９Ｂが設けられている。なお、図１に示す２箇所の目地１８は、一例として、後述する鉄骨柱２２及び鉄骨柱２４とＹ方向に並んでいる。外壁パネル１６には、一例として、軽量気泡コンクリートで構成されたＡＬＣ外壁が用いられている。
【００２０】
〔要部構成〕
次に、耐火壁構造２０について説明する。
【００２１】
耐火壁構造２０は、一例として、一対の鉄骨柱の一例としての鉄骨柱２２及び鉄骨柱２４と、ラチス材２６と、断熱材２８と、取付手段の一例としての永久磁石３２とを有する。また、耐火壁構造２０には、補助断熱材３４、３５と、耐火被覆材３６と、石膏ボード３８とが設けられている。なお、鉄骨柱２２及び鉄骨柱２４と、ラチス材２６とを合わせて耐力壁２１と称する。図１では、ラチス材２６を簡略化して示している。
【００２２】
＜鉄骨柱＞
図１に示す鉄骨柱２２及び鉄骨柱２４は、外壁パネル１６に対するＹ方向の屋内側で、Ｘ方向に所定の間隔（長さＬ１）をあけて並び、Ｚ方向に立設されている。また、鉄骨柱２２及び鉄骨柱２４は、一例として、角形鋼で構成されており、それぞれ大きさ及び形状が同様とされている。鉄骨柱２２及び鉄骨柱２４と外壁パネル１６とのＹ方向の間隔の長さをＬ２とする。
【００２３】
鉄骨柱２２は、Ｙ方向の屋外側（外壁パネル１６側）の側面２２Ａと、屋内側の側面２２Ｂと、Ｘ方向の一方側（鉄骨柱２４と対向する側）の側面２２Ｃと、他方側（鉄骨柱２４側とは反対側）の側面２２Ｄとを有する。側面２２Ａから側面２２ＢまでのＹ方向の長さをＬ３とする。また、側面２２Ｃから側面２２ＤまでのＸ方向の長さをＬ４とする。
【００２４】
鉄骨柱２４は、Ｙ方向の屋外側（外壁パネル１６側）の側面２４Ａと、屋内側の側面２４Ｂと、Ｘ方向の一方側（鉄骨柱２２側とは反対側）の側面２４Ｃと、他方側（鉄骨柱２２と対向する側）の側面２４Ｄとを有する。側面２４Ａから側面２４ＢまでのＹ方向の長さはＬ３とされている。また、側面２４Ｃから側面２４ＤまでのＸ方向の長さはＬ４とされている。なお、鉄骨柱２２と鉄骨柱２４との間隔（長さＬ１）は、側面２２Ｃから側面２４ＤまでのＸ方向の長さを意味する。
【００２５】
図２に示す鉄骨柱２２及び鉄骨柱２４のＺ方向の上端部には、既述のように、連結部材３７が設けられている。連結部材３７は、図示しないボルト及びナットにより、建物１０の天井梁１５に締結固定されている。また、鉄骨柱２２及び鉄骨柱２４のＺ方向の下端部は、既述のように、建物１０の基礎梁１３に設けられた図示しないアンカーにボルトを用いて締結固定されている。
【００２６】
＜ラチス材＞
図２に示すラチス材２６は、一例として、丸鋼を曲げ加工することで形成されている。ラチス材２６の形状は、Ｙ方向から見た場合に、Ｚ方向に連続する台形波状とされている。具体的には、ラチス材２６は、鉄骨柱２２側でＺ方向に延びる複数の直線部２６Ａと、鉄骨柱２４側でＺ方向に延びる複数の直線部２６Ｂと、直線部２６Ａ、２６Ｂの端部に連続し直線部２６Ａ、２６Ｂに対して斜め方向に延びる複数の傾斜部２６Ｃとを有する。直線部２６Ｂは、直線部２６ＡよりもＺ方向に短い。
【００２７】
直線部２６Ａには、ラチスコマ２７が設けられている。ラチスコマ２７は、一例として、Ｘ方向を板厚方向とする金属板状に形成されており、直線部２６ＡのＺ方向の中央部に対して鉄骨柱２２側に配置されている。ラチスコマ２７のＺ方向の長さは、直線部２６ＡのＺ方向の長さよりも短い。ここで、ラチスコマ２７が側面２２Ｃに接合され、直線部２６Ｂが側面２４Ｄに接合されることにより、ラチス材２６が鉄骨柱２２と鉄骨柱２４とをＸ方向に連結している。
【００２８】
ラチス材２６と鉄骨柱２２とで囲まれた空間部、及びラチス材２６と鉄骨柱２４とで囲まれた空間部を貫通部３１と称する。言い換えると、ラチス材２６は、貫通部３１を有する。貫通部３１は、Ｙ方向から見た場合に台形状の孔部として視認される部位である。また、貫通部３１は、ラチス材２６をＹ方向に貫通した部位である。
【００２９】
ラチス材２６では、直線部２６Ａ、２６Ｂと傾斜部２６Ｃとが交わる部位である屈曲部が塑性ヒンジ部とされている。この塑性ヒンジ部は、地震力などの外力が作用した場合に曲げ変形して振動エネルギーを吸収するエネルギー吸収部に相当し、荷重により断面が降伏することで塑性ヒンジが形成される部位である。また、ラチス材２６では、ラチスコマ２７が設けられていることで、塑性ヒンジ部の曲げ変形領域が確保されている。
【００３０】
＜耐火被覆材＞
図１に示す耐火被覆材３６は、一例として、ロックウールを含んで構成されている。また、耐火被覆材３６は、Ｚ方向から見た場合に、Ｙ方向の屋外側に向けて開口するＵ字状に配置されている。さらに、耐火被覆材３６は、Ｚ方向に沿って、重ならずに接触した状態で複数並べられている。加えて、耐火被覆材３６は、外壁パネル１６と共に、鉄骨柱２２、鉄骨柱２４及びラチス材２６（補助断熱材３４、３５及び断熱材２８を含む）を囲んでいる。そして、耐火被覆材３６の一部は、図示しない溶接ピンを用いて鉄骨柱２２及び鉄骨柱２４にスタッド溶接により固定されると共に、図示しないビスを用いて外壁パネル１６に固定されている。
【００３１】
具体的には、耐火被覆材３６は、Ｚ方向から見た場合に、Ｘ方向に延びる第１耐火部３６Ａと、第１耐火部３６ＡのＸ方向の両端部から屋外側に延びる第２耐火部３６Ｂと、第２耐火部３６Ｂの屋外側の端部からＸ方向の外側に延びる第３耐火部３６Ｃとを有する。第１耐火部３６Ａは、鉄骨柱２２から鉄骨柱２４まで延びており、鉄骨柱２２、ラチス材２６及び鉄骨柱２４をＹ方向の屋内側から覆っている。第２耐火部３６Ｂは、第１耐火部３６Ａから外壁パネル１６までＹ方向に延びており、側面２２Ｄ及び側面２４ＣをＸ方向に覆っている。第３耐火部３６Ｃは、外壁パネル１６の屋内側の側面に接触すると共にＸ方向に延びている。また、第３耐火部３６Ｃは、外壁パネル１６に図示しないビスにより固定されている。
【００３２】
＜石膏ボード＞
図１に示すように、第１耐火部３６Ａに対するＹ方向の屋内側には、石膏ボード３８が設けられている。石膏ボード３８は、Ｙ方向を厚さ方向として（Ｘ−Ｚ面に沿って）配置されている。石膏ボード３８のＸ方向の長さは、一例として、第１耐火部３６ＡのＸ方向の長さよりも長い。石膏ボード３８は、図示しない軽鉄下地に固定されている。
【００３３】
＜断熱材＞
図１に示すように、断熱材２８は、Ｙ方向における外壁パネル１６とラチス材２６との間で、かつＸ方向における補助断熱材３４と補助断熱材３５との間に配置されている。また、図２に示すように、断熱材２８は、一例として、Ｙ方向から見た場合に、Ｚ方向に沿って直立するように、Ｚ方向に重ならずに接触した状態で複数並べられている。なお、Ｚ方向に隣合う２つの断熱材２８をＹ方向から見た場合に、上側の断熱材２８の下面と下側の断熱材２８の上面とが接触する境界面を表す境界線Ｋは、一例として、Ｘ方向に沿って延びている。また、境界線Ｋは、一例として、ラチス材２６のそれぞれのラチスコマ２７の位置に合わせて配置されている。
【００３４】
図３に示すように、断熱材２８は、建物１０（図１参照）に配置された状態でＸ方向に延在される断熱部４２と、断熱部４２からＸ方向の外側へ延出された取付部４４とを有する。また、断熱材２８は、既述の貫通部３１（図２参照）を屋内側から屋外側へＹ方向に通過可能となるように、全体の大きさ、形状及び材質（変形のしやすさ）が予め設定されている。
【００３５】
（断熱部）
断熱部４２は、一例として、Ｚ方向から見た場合に、Ｘ方向を長手方向としＹ方向を短手方向とする略矩形筒状の断面を有する袋体４２Ａと、袋体４２Ａの内側に充填されたグラスウール４２Ｂとを有する。袋体４２Ａは、一例として、ポリエチレン製フィルムで構成されており、グラスウール４２Ｂの充填後に封止されている。また、袋体４２ＡのＹ方向一方側（屋外側）には、Ｙ方向に貫通した通気用の貫通孔４３が複数形成されている。グラスウール４２Ｂは、弾性を有している。これにより、断熱部４２は、貫通部３１（図２参照）を通過する際の変形が許容されている。なお、グラスウール４２Ｂは、各図において、模式的に示されている。
【００３６】
袋体４２Ａ内にグラスウール４２Ｂが充填された状態において、断熱部４２のＸ方向の長さをＬ５とし、断熱部４２のＹ方向の長さをＬ６とする。長さＬ５は、既述の長さＬ１（図１参照）よりも短い。長さＬ５は、一例として、既述の長さＬ２と同程度の長さとされている。
【００３７】
（取付部）
取付部４４は、一例として、Ｚ方向から見た場合に、断熱部４２のＸ方向の両端部における屋内側（貫通孔４３側とは反対側）の端部である隅部４５から、Ｘ方向の外側に向けて延出されている。また、取付部４４は、一例として、袋体４２Ａと同様に、屈曲可能なポリエチレン製フィルムで構成されており、袋体４２Ａと一体化されている。取付部４４のうち、Ｘ方向の一方側（ラチスコマ２７（図１参照）が配置されていない側）を第１取付部４６と称し、Ｘ方向の他方側（ラチスコマ２７が配置されている側）を第２取付部４７と称して区別する。
【００３８】
第１取付部４６は、Ｙ方向を厚さ方向としＸ方向に延びる板状に形成されている。第１取付部４６のＸ方向の長さ（断熱部４２から延出されている長さ）をＬ７とする。長さＬ７は、断熱部４２を外壁パネル１６とラチス材２６との間（図１参照）に配置した場合に、第１取付部４６の少なくとも一部が、側面２２Ｃ（図１参照）と接触可能となる長さに設定されている。
【００３９】
第２取付部４７は、Ｙ方向を厚さ方向としＸ方向に延びる板状に形成されている。第２取付部４７のＸ方向の長さ（断熱部４２から延出されている長さ）をＬ８とする。長さＬ８は、断熱部４２を外壁パネル１６とラチス材２６との間（図１参照）に配置した場合に、第２取付部４７の少なくとも一部が、側面２４Ｄ（図１参照）と接触可能となる長さに設定されている。また、長さＬ８は、長さＬ７よりも短い。
【００４０】
図４に示すように、断熱部４２は、Ｚ方向に長い略直方体状に形成されている。断熱部４２及び取付部４４のＺ方向の長さは、一例として、Ｚ方向の下側のラチスコマ２７の中央から上側のラチスコマ２７の中央までの長さとほぼ等しい長さに設定されている（図２参照）。なお、第１取付部４６のＺ方向の下端部には、ラチスコマ２７を避けるための切欠部４８が形成されている。ここで、断熱材２８がラチス材２６よりも屋外側に配置された状態において、第１取付部４６が鉄骨柱２２に取付けられ、第２取付部４７が鉄骨柱２４に取付けられるようになっている。
【００４１】
＜永久磁石＞
図４に示すように、永久磁石３２は、一例として、円板状に形成されている。永久磁石３２の直径の長さは、一例として、既述の長さＬ８（図３参照）よりも短い長さでかつ長さＬ８の半分以上の長さとなるように設定されている。ここで、第１取付部４６は、複数（図示は２個）の永久磁石３２を用いて、側面２２Ｃにおけるラチス材２６よりも屋外側の部位に、側面２２Ｃと密着するように取付けられている。第２取付部４７は、複数（図示は２個）の永久磁石３２を用いて、側面２４Ｄにおけるラチス材２６よりも屋外側の部位に、側面２４Ｄと密着するように取付けられている。
【００４２】
＜補助断熱材＞
図１に示す補助断熱材３４及び補助断熱材３５は、一例として、それぞれ不燃製の繊維系断熱材の集合体であるロックウールを含んで構成されており、袋詰めされて略直方体状（マット状）に形成されている。本実施形態では、一例として、Ｚ方向から見た場合に、補助断熱材３４のＸ方向の長さＬ９が、補助断熱材３５のＸ方向の長さＬ１０よりも長い。なお、図示は省略するが、補助断熱材３４及び補助断熱材３５は、それぞれＺ方向に、重ならずに接触した状態で複数並べられている。
【００４３】
補助断熱材３４は、外壁パネル１６と鉄骨柱２２との間に配置されており、一例として、外壁パネル１６、鉄骨柱２２、断熱材２８及び耐火被覆材３６に接触している。これにより、補助断熱材３４は、外壁パネル１６と鉄骨柱２２との間で断熱するようになっている。また、補助断熱材３４のＸ方向の長さＬ９は、一例として、鉄骨柱２２の長さＬ４よりも長い。補助断熱材３４におけるＸ方向の他方側（断熱材２８側とは反対側）の側面３４Ａは、Ｚ方向から見た場合に、鉄骨柱２２の側面２２ＤとＹ方向にほぼ揃えられている。つまり、補助断熱材３４は、Ｚ方向から見た場合に、鉄骨柱２２に対して断熱材２８側に突出された状態で、断熱材２８と接触している。
【００４４】
補助断熱材３５は、外壁パネル１６と鉄骨柱２４との間に配置されており、一例として、外壁パネル１６、鉄骨柱２４、断熱材２８及び耐火被覆材３６に接触している。これにより、補助断熱材３５は、外壁パネル１６と鉄骨柱２４との間で断熱するようになっている。また、補助断熱材３５のＸ方向の長さＬ１０は、一例として、鉄骨柱２４の長さＬ４とほぼ同程度の長さとされている。補助断熱材３５におけるＸ方向の一方側（断熱材２８側とは反対側）の側面３５Ａは、Ｚ方向から見た場合に、鉄骨柱２４の側面２４ＣとＹ方向にほぼ揃えられている。補助断熱材３５におけるＸ方向の他方側（断熱材２８側）の側面３５Ｂは、Ｚ方向から見た場合に、鉄骨柱２４の側面２４ＤとＹ方向にほぼ揃えられている。
【００４５】
〔作用〕
次に、本実施形態の作用について説明する。
【００４６】
図５（Ａ）に示すように、ラチス材２６により連結された鉄骨柱２２及び鉄骨柱２４が、Ｚ方向に沿って立設される。また、外壁パネル１６が、図示しない外壁フレームに取付けられることで、鉄骨柱２２、ラチス材２６及び鉄骨柱２４に対する屋外側にＺ方向に沿って配設される。これにより、鉄骨柱２２、ラチス材２６及び鉄骨柱２４と、外壁パネル１６との間に空間部２９が形成される。さらに、補助断熱材３４及び補助断熱材３５が、Ｘ方向の外側から外壁パネル１６と鉄骨柱２２との間、及び外壁パネル１６と鉄骨柱２４との間に挿入されることで、配置される。
【００４７】
続いて、図５（Ｂ）に示すように、断熱材２８が、ラチス材２６に対する屋内側から貫通部３１を通過して、外壁パネル１６（図５（Ａ）参照）とラチス材２６との間（空間部２９）に配置される（第１工程の一例）。
【００４８】
続いて、図５（Ｃ）に示すように、断熱材２８の第１取付部４６が、永久磁石３２を用いて鉄骨柱２２の側面２２Ｃに取付けられ、第２取付部４７が、永久磁石３２を用いて鉄骨柱２４の側面２４Ｄに取付けられる（第２工程の一例）。これらの工程は、複数の断熱材２８のそれぞれについて行われる。
【００４９】
続いて、図１に示すように、鉄骨柱２２、２４、ラチス材２６、補助断熱材３４、３５及び断熱材２８が、耐火被覆材３６により屋内側から覆われる。耐火被覆材３６の一部は、図示しない溶接ピンを用いて鉄骨柱２２及び鉄骨柱２４にスタッド溶接される。そして、耐火被覆材３６のＸ方向の両端部（第３耐火部３６Ｃ）が、外壁パネル１６の屋内側に図示しないビスにより固定される。このようにして、耐火壁構造２０が出来上がる。なお、耐火被覆材３６を設けた後で、耐火被覆材３６に対する屋内側に石膏ボード３８が設けられる。
【００５０】
以上、説明したように、耐火壁構造２０及び耐火壁構造２０の施工方法では、外壁パネル１６、鉄骨柱２２、２４及びラチス材２６が設けられた後で、ラチス材２６に対する屋内側から、ラチス材２６と外壁パネル１６との間に断熱材２８を取付ける作業を行える。このため、外壁パネル１６が配置される前に、外壁パネル１６の配置を考慮しながら断熱材２８の配置を行う必要がなくなる。つまり、断熱材２８の配置作業をラチス材２６に対する屋内側から簡単に行うことができるので、断熱材２８を有する耐火壁構造において、施工性を向上させることができる。
【００５１】
また、耐火壁構造２０では、外壁パネル１６と鉄骨柱２２、２４との間に補助断熱材３４、３５が配置される。さらに、補助断熱材３４、３５は、外壁パネル１６とラチス材２６との間に配置された断熱材２８と接触する。これにより、外壁パネル１６と鉄骨柱２２、２４との間の空間に、断熱材２８及び補助断熱材３４、３５が、Ｘ方向に沿って連続して配置されることになるので、補助断熱材３４、３５を配置しない構成に比べて、耐火壁構造２０の断熱性能を高めることができる。
【００５２】
さらに、耐火壁構造２０では、取付部４４が、永久磁石３２と、鉄骨柱２２、２４とで挟まれることで、永久磁石３２と鉄骨柱２２、２４との引合う力（磁力）によって、鉄骨柱２２、２４に取付けられる。言い換えると、鉄骨柱２２、２４に取付部４４を接触させた状態で、永久磁石３２を取付部４４に近づけるだけで、永久磁石３２と鉄骨柱２２、２４とが引合って、取付部４４が取付けられる。これにより、鉄骨柱２２、２４に断熱材２８を取付ける作業を簡単に行うことができる。
【００５３】
なお、本発明は上記の実施形態に限定されない。
【００５４】
耐火壁構造２０において、補助断熱材３４、３５を設けずに、断熱材２８の一部を外壁パネル１６と鉄骨柱２２、２４との間に押込むように構成してもよい。また、鉄骨柱２２、ラチス材２６及び鉄骨柱２４を単位ユニットとして、この単位ユニットをＸ方向に２つ以上設けて、それぞれの単位ユニット毎に断熱材２８を配置してもよい。さらに、耐火壁構造２０において、外壁パネル１６、鉄骨柱２２、ラチス材２６及び鉄骨柱２４が並ぶ方向は、Ｘ方向に限らず、Ｙ方向であってもよい。
【００５５】
断熱材２８は、グラスウールを有するものに限らず、貫通部３１を通過可能に変形する他の断熱材を用いることができる。例えば、軟質ウレタンフォーム等の弾性を有する断熱材を用いてもよい。また、断熱材２８は、ラチスコマ２７の配置に合わせて境界線Ｋが配置されるものに限らず、ラチスコマ２７とは異なる場所に境界線Ｋが配置されていてもよい。
【００５６】
取付部４４は、鉄骨柱２２及び鉄骨柱２４の互いにＸ方向に対向する側面２２Ｃと側面２４Ｄとに取付けられるものに限らず、鉄骨柱２２及び鉄骨柱２４の他の部位に取付けられるものであってもよい。例えば、取付部４４は、側面２２Ａと側面２４Ａとに取付けられるものであってもよい。
【００５７】
取付手段は、永久磁石３２のように、磁力を用いた手段に限らない。例えば、取付部４４に孔を形成しておき、鉄骨柱２２及び鉄骨柱２４に形成されたフック状の部位に、この孔の周縁部を引掛けることで取付けてもよい。永久磁石３２は、円板状のものに限らず、棒状や矩形板状など、他の形状のものであってもよい。また、取付手段の他の例として、気密テープ（粘着テープ）を用いて、断熱材２８の取付部４４を鉄骨柱２２及び鉄骨柱２４に取付けてもよい。
【００５８】
耐火被覆材３６は、ロックウールを含んで構成されるものに限らず、例えば、ケイカル板（ケイ酸カルシウム板）で構成されていてもよい。また、耐火被覆材３６は、一体化されたものに限らず、複数の耐火被覆材で構成されていてもよい。
【００５９】
外壁パネル１６は、ＡＬＣ外壁に限らず、公知の各種のコンクリート系パネルで構成されていてもよい。
【符号の説明】
【００６０】
１０  建物
１６  外壁パネル（外壁材の一例）
２０  耐火壁構造
２２  鉄骨柱（一対の鉄骨柱の一例）
２４  鉄骨柱（一対の鉄骨柱の一例）
２６  ラチス材
２８  断熱材
３１  貫通部
３２  永久磁石（取付手段の一例）
３４  補助断熱材
３５  補助断熱材
４２  断熱部
４４  取付部
【図１】
2019019629.tif 000003
【図２】
2019019629.tif 000004
【図３】
2019019629.tif 000005
【図４】
2019019629.tif 000006
【図５】
2019019629.tif 000007